【手続補正書】
【提出日】平成16年2月5日(2004.2.5)
【手続補正１】
【補正対象書類名】特許請求の範囲
【補正対象項目名】全文
【補正方法】変更
【補正の内容】
【特許請求の範囲】
【請求項１】
以下のものを含むアッセイ装置：
i）少なくとも２つのウェル（５７〜６２）および前記ウェルの少なくとも２つに置くことができるピペット（５５）を含むアッセイ用カートリッジ（５２、５３）。前記ピペットは近接端部および遠心端を持ち、前記遠心端が液体透過膜で閉じている。；
ii）前記カートリッジを受けるために配置したホルダー；
iii）前記カートリッジの選択したウェルに、前記ピペットを置くことができる駆動手段；
iv）前記ピペットに結合可能で、前記膜を通して液体を流すためのガス圧力アプリケーター；および
v）前記カートリッジのウェルまたは前記ピペットからの放射線を検出可能な放射線検出器
【請求項２】
以下のものを含むアッセイ装置：
i）少なくとも１つのウェル（５７〜６２）および前記ウェルの少なくとも一つに置くことができるピペット（５０）を含むアッセイ用カートリッジ（５２、５３）。前記ピペットの先端が、キャピラリーである。；
ii）前記カートリッジを受けるために配置したホルダー；
iii）前記カートリッジの選択したウェルに、前記ピペットを置くことができる駆動手段；
iv）前記ピペットに結合可能で、前記膜を通して液体を流すためのガス圧力アプリケーター；および
v）前記カートリッジのウェルまたは前記ピペットからの放射線を検出可能な放射線検出器。
【請求項３】
以下のものを含むアッセイ装置：
i）少なくとも１つのウェル（５７〜６２）および前記ウェルの少なくとも一つに置くことができるピペット（５０）を含むアッセイ用カートリッジ（５２、５３）。前記ウェルの少なくとも１つが、少なくとも１つの平面を含む底壁面と連結した２つの平行な平らな側壁をもち、その底面の法線が、前記側壁の平行な平面の法線と同一平面上であるが、前記側壁の平行な平面の法線に対して垂直でない；
ii）前記カートリッジを受けるために配置したホルダー；
iii）前記カートリッジの選択したウェルに、前記ピペットを置くことができる駆動手段；
iv）前記ピペットに結合可能で、前記膜を通して液体を流すためのガス圧力アプリケーター；および
v）前記カートリッジのウェルまたは前記ピペットからの放射線を検出可能な放射線検出器。
【請求項４】
前記カートリッジに、先端がキャピラリーであるピペット（５０）と、先端が膜であるピペット（５５）とを含む請求項１〜３のいずれか一項に記載の装置。
【請求項５】
前記カートリッジに、ピペット（５５）を含み、その遠心端が傾斜液体透過膜で閉じている請求項１〜４のいずれか一項に記載の装置。
【請求項６】
前記傾斜膜が、結合している前記ピペットの軸に対して２０〜４０°の角度の面上にある請求項５記載の装置。
【請求項７】
前記カートリッジに、先端が膜であるピペットを含み、そのピペットの末端が方形断面で
ある請求項１〜６のいずれか一項に記載の装置。
【請求項８】
前記カートリッジに、取り外し可能な基部と、キャップ部とを含み、前記ウェルが前記基部に配置され、前記キャップ部が前記ピペットを運搬するように配置された請求項１〜７のいずれか一項に記載の装置。
【請求項９】
前記キャップ部に、先端がキャピラリーであるピペットを受けるための手段を含む請求項８記載の装置。
【請求項１０】
前記ウェルの少なくとも一つを、その上部の端で脆いシールにより密封し、さらに、前記キャップ部に前記シールを突き抜けるように配置したカッターをもつ請求項８および９のいずれか一項に記載の装置。
【請求項１１】
前記基部に、その中に差し込まれた前記先端がキャピラリーであるピペットの外側をぬぐうように配置された吸収性ワイパーを含む請求項８〜１０のいずれか一項に記載の装置。
【請求項１２】
前記カートリッジに、先端が膜であるピペットを含み、その近接端部が貫通可能なセルフシール膜で閉じている請求項１〜１１のいずれか一項に記載の装置。
【請求項１３】
前記カートリッジのウェルを直線上に配置された請求項１〜１２のいずれか一項に記載の装置。
【請求項１４】
前記放射線検出器に、デジタルカメラを含む請求項１〜１３のいずれか一項に記載の装置。
【請求項１５】
前記カートリッジの少なくとも１つのウェルの底壁面が平面であり、そのウェルに隣接する側壁に対して垂直でない請求項１４記載の装置。
【請求項１６】
さらに、前記カートリッジを照射するために配置された光源を含む請求項１〜１５のいずれか一項に記載の装置。
【請求項１７】
さらに、磁石を含む請求項１〜１６のいずれか一項に記載の装置。
【請求項１８】
さらに、前記カートリッジを加熱するために配置された加熱器を含む請求項１〜１７のいずれか一項に記載の装置。
【請求項１９】
さらに、前記装置によるアッセイ性能を制御するために配置された制御部を含む請求項１〜１８のいずれか一項に記載の装置。
【請求項２０】
前記ガス圧力アプリケーターに、円柱状の容器内に配置されたピストンと、前記ピストンを駆動するために配置された駆動モーターとを含む請求項１〜１９のいずれか一項に記載の装置。
【請求項２１】
少なくとも２つのウェル（５７〜６２）と、前記ウェルの少なくとも２つに置くことができるピペット（５５）とを含むアッセイ用カートリッジ（５２、５３）。前記ピペットが近接端部および遠心端を持ち、前記遠心端が液体透過膜で閉じているカートリッジ。
【請求項２２】
少なくとも１つのウェル（５７〜６２）と、前記ウェルの少なくとも一つに置くことができるピペット（５０）とを含むアッセイ用カートリッジ（５２、５３）。前記ピペットの先端が、キャピラリーである。
【請求項２３】
前記キャピラリーチップ（９５）が取り外し可能なスリーブ（９６）をもつ請求項に２２記載のカートリッジ。
【請求項２４】
少なくとも１つのウェル（５７〜６２）と、前記ウェルの少なくとも一つに置くことができるピペット（５０）とを含むアッセイ用カートリッジ（５２、５３）。前記ウェルの少なくとも１つが、少なくとも１つの平面を含む底壁面と連結した２つの平行な平らな側壁をもち、その底面の法線が、前記側壁の平行な平面の法線と同一平面上であるが、前記側壁の平行な平面の法線に対して垂直でない。
【請求項２５】
前記カートリッジに、先端がキャピラリーであるピペット（５０）および先端が膜であるピペット（５５）を含む請求項２１〜２４のいずれか一項に記載のアッセイ用カートリッジ。
【請求項２６】
前記カートリッジにピペット（５５）を含み、その閉端が傾斜液体透過膜で閉じている請求項２１〜２５のいずれか一項に記載のアッセイ用カートリッジ。
【請求項２７】
前記傾斜膜が、結合している前記ピペットの軸に対して２０〜４０°の角度の面上にある請求項２６に記載のアッセイ用カートリッジ。
【請求項２８】
前記カートリッジが、先端が膜であるピペットを含み、そのピペットの末端が方形断面である請求項２１〜２７のいずれか一項に記載のアッセイ用カートリッジ。
【請求項２９】
前記ウェルが前記基部に配置され、前記キャップ部が前記ピペットを運搬するように配置された請求項２１〜２８のいずれか一項に記載のアッセイ用カートリッジ。
【請求項３０】
前記キャップ部に、先端がキャピラリーであるピペットを受けるための手段を含む請求項２９に記載のアッセイ用カートリッジ。
【請求項３１】
前記ウェルの少なくとも一つを、その上部の端で脆いシールにより密封し、さらに、前記キャップ部が前記シールを突き抜けるように配置されたカッターをもつ請求項２８および３０のいずれか一項に記載のアッセイ用カートリッジ。
【請求項３２】
前記基部が吸収性ワイパーを含み、そのワイパーが、その中に差し込まれた前記先端がキャピラリーであるピペットの外側をぬぐうように配置された請求項２１〜３１のいずれか一項に記載のアッセイ用カートリッジ。
【請求項３３】
前記カートリッジに、先端が膜であるピペットを含み、その近接端部が貫通可能なセルフシール膜で閉じている請求項２１〜３２のいずれか一項に記載のアッセイ用カートリッジ。
【請求項３４】
前記カートリッジのウェルを直線上に配置された請求項２１〜の３３いずれか一項に記載のアッセイ用カートリッジ。
【請求項３５】
前記ウェルの少なくとも一つにアッセイ用試薬を含む請求項２１〜３４のいずれか一項に記載のアッセイ用カートリッジ。
【請求項３６】
以下のものを含むアッセイ機材。
ａ）請求項２０〜３３のいずれか一項に記載のアッセイ用カートリッジ（２３）を受けることができるカートリッジホルダー（２４）；
ｂ）前記カートリッジの選択したウェルに、前記ピペット（６）を置くことができる駆動手段（２５）；
ｃ）前記ピペットに結合可能で、前記ピペットの膜を通して液体を流すためのガス圧力アプリケーター（２７）；および
ｄ）前記カートリッジのウェルまたは前記ピペットからの放射線を検出可能な放射線検出器（３２）。
【請求項３７】
前記放射線検出器に、デジタルカメラを含む請求項３６記載の機材。
【請求項３８】
さらに、前記カートリッジを照射するために配置された光源を含む請求項３６および３７のいずれかに記載の機材。
【請求項３９】
さらに、磁石を含む請求項３６〜３８のいずれか一項に記載の機材。
【請求項４０】
さらに、前記カートリッジを加熱するために配置された加熱器を含む請求項３６〜３９のいずれか一項に記載の機材。
【請求項４１】
さらに、前記装置により行われるアッセイを制御するために配置された制御部を含む請求項３６〜４０のいずれか一項に記載の機材。
【請求項４２】
前記ガス圧力アプリケーターに、円柱状の容器内に配置されたピストンと、前記ピストンを駆動するために配置された駆動モーターとを含む請求項３６〜４１のいずれか一項に記載の機材。
【請求項４３】
液体が容器からピペットへ移動させるアッセイ方法であって、液体が流れ込む前記ピペットの末端が液体透過膜により封されていることを特徴とするアッセイ方法。
【請求項４４】
生物試料中の検体または生物試料特性をアッセイするための請求項１〜２０のいずれか一項に記載の装置の使用。
【請求項４５】
血液または血液由来試料中の凝固時間をアッセイするための請求４４記載の使用。
【請求項４６】
体液または体液由来試料中のタンパク質検体をアッセイするための請求項４４記載の使用。
【手続補正２】
【補正対象書類名】明細書
【補正対象項目名】０１５０
【補正方法】変更
【補正の内容】
【０１５０】
【図面の簡単な説明】
【図１】図１は、本発明のカートリッジの概要を示す断面図である。
【図２】図２は、本発明のカートリッジの概要を示す部分的な断面図である。
【図３】図３は、本発明のカートリッジの概要を示す部分的な断面図である。
【図４】図４は、本発明の装置の図面である。
【図５】図５は、本発明のカートリッジの概要を示す断面図である。
【図６】図６は、本発明のアッセイにおける線量応答曲線を示すグラフである。
【図７】図７は、本発明のアッセイにおける線量応答曲線を示すグラフである。
【図８】図８は、本発明のアッセイの結果を示すグラフである。
【図９】図９は、ウェルが直線状に配置された本発明のカートリッジのさらなる具体例の概略図である。
【図１０】図１０は、ウェルが直線状に配置された本発明のカートリッジのさらなる具体例の概略図である。
【図１１】図１１は、ウェルが直線状に配置された本発明のカートリッジのさらなる具体例の概略図である。
【図１２】図１２は、ウェルが直線状に配置された本発明のカートリッジのさらなる具体例の概略図である。
【図１３】図１３は、ウェルが直線状に配置された本発明のカートリッジのさらなる具体例の概略図である。
【図１４】図１４は、ウェルが直線状に配置された本発明のカートリッジのさらなる具体例の概略図である。
【図１５】図１５は、ウェルが直線状に配置された本発明のカートリッジのさらなる具体例の概略図である。
【図１６】図１６は、ウェルが直線状に配置された本発明のカートリッジのさらなる具体例の概略図である。
【図１７】図１７は、ウェルが直線状に配置された本発明のカートリッジのさらなる具体例の概略図である。
【図１８】図１８は、ウェルが直線状に配置された本発明のカートリッジのさらなる具体例の概略図である。
【図１９】図１９は、ウェルが直線状に配置された本発明のカートリッジのさらなる具体例の概略図である。
【図２０】図２０は、本発明において、移動可能な磁石を使用して、カートリッジのウェルの試料から磁気を帯びたポリマービーズを分離する方法を示す概略図である。
【図２１】図２１は、本発明において、小片の紙を使用して、カートリッジの先端がキャピラリーであるピペットの外側の余分な液体をぬぐい取る方法を示す概略図である。
【図２２】図２２は、本発明において、膜で密閉した廃棄用リザーバーがカートリッジのピペットの部分を形成されている様子を示す概略図である。
【図２３】図２３は、本発明において、アッセイ用カートリッジに使用する先端がキャピラリーであるピペットの側面から見た断面図を示す。